【手続補正書】
【提出日】令和1年8月5日(2019.8.5)
【手続補正１】
【補正対象書類名】明細書
【補正対象項目名】０００８
【補正方法】変更
【補正の内容】
【０００８】
本発明の一態様に係る印刷装置は、複数の発熱素子を有し、被印刷媒体に複数のラインを印刷するサーマルヘッドと、制御装置と、を備え、前記制御装置は、前記複数のラインのそれぞれを印刷するための１ライン周期内に前記被印刷媒体に印刷を行うための第１の通電制御期間を設定するとともに、前記１ライン周期内に前記被印刷媒体に印刷を行うことなく前記サーマルヘッドの前記複数の発熱素子の温度変化を調整するための第２の通電制御期間を、前記サーマルヘッドの前記複数の発熱素子への通電が行われない非通電期間を介して、前記第１の通電制御期間より時間的に後のタイミングに設定し、前記複数のラインを印刷させるための印刷データに基づいて、前記複数のラインにおける、少なくとも、スティッキングが発生する可能性があると推定される第ｎライン（ｎは１以上の整数）と、前記第ｎラインに続けて印刷される第（ｎ＋１）ラインと、を対策対象ライン群に設定し、前記対策対象ライン群に含まれる前記ラインのそれぞれにおける前記第２の通電制御期間中において、前記複数の発熱素子の少なくとも一部に電圧が印加されるように制御する対策ラインデータを生成する。
【手続補正２】
【補正対象書類名】明細書
【補正対象項目名】００１０
【補正方法】変更
【補正の内容】
【００１０】
本発明の別の態様に係る印刷システムは、印刷装置と、印刷制御装置と、を備え、前記印刷装置は、複数の発熱素子を有し、被印刷媒体に複数のラインを印刷するサーマルヘッドと、前記複数のラインのそれぞれを印刷するための１ライン周期内に前記被印刷媒体に印刷を行うための第１の通電制御期間を設定するとともに、前記１ライン周期内に前記被印刷媒体に印刷を行うことなく前記サーマルヘッドの前記複数の発熱素子の温度変化を調整するための第２の通電制御期間を、前記サーマルヘッドの前記複数の発熱素子への通電が行われない非通電期間を介して、前記第１の通電制御期間より時間的に後のタイミングに設定し、前記複数のラインを印刷させるための印刷データと、前記第２の通電制御期間中における前記複数の発熱素子への通電又は非通電を指定する、前記印刷制御装置で生成された対策データと、に基づいて、前記サーマルヘッドを駆動するヘッド駆動部と、を備え、前記印刷制御装置は、前記印刷データに含まれる、連続して印刷される前記複数のラインのそれぞれに対応する複数の印刷ラインデータのうちの、少なくとも二つの前記印刷ラインデータを比較することによりスティッキングが発生する可能性がある第ｎライン（ｎは１以上の整数）と、前記第ｎラインに続けて印刷される第（ｎ＋１）ラインと、を対策対象ライン群に設定し、前記対策対象ライン群に含まれる前記ラインのそれぞれにおける前記第２の通電制御期間中において前記複数の発熱素子の少なくとも一部に電圧が印加されるように前記対策データを生成する。
【手続補正３】
【補正対象書類名】明細書
【補正対象項目名】００１１
【補正方法】変更
【補正の内容】
【００１１】
本発明の一態様に係る印刷制御方法は、被印刷媒体に複数のラインのそれぞれを印刷するための１ライン周期内に前記被印刷媒体に印刷を行うための第１の通電制御期間を設定するとともに、前記１ライン周期内に前記被印刷媒体に印刷を行うことなく前記印刷装置のサーマルヘッドの前記複数の発熱素子の温度変化を調整するための第２の通電制御期間を、前記サーマルヘッドの前記複数の発熱素子への通電が行われない非通電期間を介して、前記第１の通電制御期間より時間的に後のタイミングに設定し、前記複数のラインを印刷させるための印刷データに基づいて、前記複数のラインにおけるスティッキングが発生する可能性があると推定される第ｎラインと、前記第ｎライン（ｎは１以上の整数）に続けて印刷される第（ｎ＋１）ラインと、を対策対象ライン群に設定し、前記対策対象ライン群に含まれる前記ラインのそれぞれにおける前記第２の通電制御期間中において前記複数の発熱素子の少なくとも一部に電圧が印加されるように制御する対策ラインデータを生成する。
【手続補正４】
【補正対象書類名】明細書
【補正対象項目名】００１２
【補正方法】変更
【補正の内容】
【００１２】
本発明の一態様に係るプログラムは、印刷装置が備えるコンピュータに、被印刷媒体に複数のラインのそれぞれを印刷するための１ライン周期内に前記被印刷媒体に印刷を行うための第１の通電制御期間を設定するとともに、前記１ライン周期内に前記被印刷媒体に印刷を行うことなく前記印刷装置のサーマルヘッドの前記複数の発熱素子の温度変化を調整するための第２の通電制御期間を、前記サーマルヘッドの前記複数の発熱素子への通電が行われない非通電期間を介して、前記第１の通電制御期間より時間的に後のタイミングに設定させ、前記複数のラインを印刷させるための印刷データに基づいて、前記複数のラインにおけるスティッキングが発生する可能性があると推定される第ｎライン（ｎは１以上の整数）と、前記第ｎラインに続けて印刷される第（ｎ＋１）ラインと、を対策対象ライン群に設定させ、前記対策対象ライン群に含まれる前記ラインのそれぞれにおける前記第２の通電制御期間中において、前記複数の発熱素子の少なくとも一部に電圧が印加されるように制御する対策ラインデータを生成させる。
【手続補正５】
【補正対象書類名】特許請求の範囲
【補正対象項目名】全文
【補正方法】変更
【補正の内容】
【特許請求の範囲】
【請求項１】
複数の発熱素子を有し、被印刷媒体に複数のラインを印刷するサーマルヘッドと、
制御装置と、
を備え、
前記制御装置は、
前記複数のラインのそれぞれを印刷するための１ライン周期内に前記被印刷媒体に印刷を行うための第１の通電制御期間を設定するとともに、前記１ライン周期内に前記被印刷媒体に印刷を行うことなく前記サーマルヘッドの前記複数の発熱素子の温度変化を調整するための第２の通電制御期間を、前記サーマルヘッドの前記複数の発熱素子への通電が行われない非通電期間を介して、前記第１の通電制御期間より時間的に後のタイミングに設定し、
前記複数のラインを印刷させるための印刷データに基づいて、前記複数のラインにおける、少なくとも、スティッキングが発生する可能性があると推定される第ｎライン（ｎは１以上の整数）と、前記第ｎラインに続けて印刷される第（ｎ＋１）ラインと、を対策対象ライン群に設定し、前記対策対象ライン群に含まれる前記ラインのそれぞれにおける前記第２の通電制御期間中において、前記複数の発熱素子の少なくとも一部に電圧が印加されるように制御する対策ラインデータを生成する、
ことを特徴とする印刷装置。
【請求項２】
請求項１に記載の印刷装置において、
前記制御装置は、
前記印刷データに含まれる、連続して印刷される前記複数のラインのそれぞれに対応する複数の印刷ラインデータのうちの、少なくとも二つの前記印刷ラインデータを比較した結果に基づいて、前記スティッキングが発生する可能性があると推定される前記第ｎラインをスティッキング発生推定ラインとして決定する、
ことを特徴とする印刷装置。
【請求項３】
請求項２に記載の印刷装置において、
前記制御装置は、
前記複数の印刷ラインデータのうちの、互いに隣接して印刷される二つの前記ラインのそれぞれに対応する二つの前記印刷ラインデータを比較した結果に基づいて、前記スティッキングが発生する可能性があると推定される前記第ｎラインを前記スティッキング発生推定ラインとして決定する、
ことを特徴とする印刷装置。
【請求項４】
請求項３に記載の印刷装置において、
前記制御装置は、前記二つの印刷ラインデータの一方に基づいて特定される印刷ドットの数と、前記二つの印刷ラインデータの他方に基づいて特定される印刷ドットの数と、を比較して、当該比較の結果に基づいて、前記スティッキング発生推定ラインを決定する、ことを特徴とする印刷装置。
【請求項５】
請求項３に記載の印刷装置において、
前記制御装置は、前記二つの印刷ラインデータの一方に基づいて特定される所定数連続して並んでいる印刷ドットである印刷ドット群の数と、前記二つの印刷ラインデータの他方に基づいて特定される印刷ドット群の数と、を比較して、当該比較の結果に基づいて、前記スティッキング発生推定ラインを決定する、
ことを特徴とする印刷装置。
【請求項６】
請求項１乃至請求項５のいずれか１項に記載の印刷装置は、
前記被印刷媒体の幅を検出する幅検出部を備え、
前記制御装置は、前記幅検出部で検出された前記被印刷媒体の幅に基づいて、前記対策ラインデータにおいて前記対策対象ライン群に含まれる前記ラインのそれぞれでの前記第２の通電制御期間中に電圧を印加する前記発熱素子を設定する、
ことを特徴とする印刷装置。
【請求項７】
請求項６に記載の印刷装置において、
前記制御装置は、少なくとも前記被印刷媒体に対向する位置にある前記発熱素子を、前記対策ラインデータにおいて前記対策対象ライン群に含まれる前記ラインのそれぞれでの前記第２の通電制御期間中に電圧を印加する前記発熱素子に設定する、
ことを特徴とする印刷装置。
【請求項８】
請求項６に記載の印刷装置において、
前記制御装置は、前記幅検出部で検出された前記被印刷媒体の幅に基づいて、前記対策対象ライン群に含まれる前記ラインの数を設定する、
ことを特徴とする印刷装置。
【請求項９】
請求項６に記載の印刷装置は、
前記印刷装置の周囲の温度を環境温度として測定する環境温度測定部を備え、
前記制御装置は、前記環境温度、前記幅検出部で検出された前記被印刷媒体の幅及び前記印刷データの少なくとも何れかに基づいて、前記対策対象ライン群に含まれる前記ライン数を設定する、
ことを特徴とする印刷装置。
【請求項１０】
請求項１乃至請求項７のいずれか１項に記載の印刷装置は、
前記印刷装置の周囲の温度を環境温度として測定する環境温度測定部を備え、
前記制御装置は、前記環境温度に基づいて、前記対策対象ライン群に含まれる前記ラインの数を設定する、
ことを特徴とする印刷装置。
【請求項１１】
請求項１に記載の印刷装置と、
前記スティッキングが発生する可能性があると推定された前記第ｎラインを特定するデータを前記印刷装置へ出力する印刷制御装置と、備え、
前記印刷制御装置は、
前記印刷データに含まれる、連続して印刷される前記複数のラインのそれぞれに対応する複数の印刷ラインデータのうちの、少なくとも二つの前記印刷ラインデータを比較することにより前記スティッキングが発生する可能性があると推定される前記第ｎラインを決定する、
ことを特徴とする印刷システム。
【請求項１２】
印刷装置と、
印刷制御装置と、を備え、
前記印刷装置は、
複数の発熱素子を有し、被印刷媒体に複数のラインを印刷するサーマルヘッドと、
前記複数のラインのそれぞれを印刷するための１ライン周期内に前記被印刷媒体に印刷を行うための第１の通電制御期間を設定するとともに、前記１ライン周期内に前記被印刷媒体に印刷を行うことなく前記サーマルヘッドの前記複数の発熱素子の温度変化を調整するための第２の通電制御期間を、前記サーマルヘッドの前記複数の発熱素子への通電が行われない非通電期間を介して、前記第１の通電制御期間より時間的に後のタイミングに設定し、
前記複数のラインを印刷させるための印刷データと、前記第２の通電制御期間中における前記複数の発熱素子への通電又は非通電を指定する、前記印刷制御装置で生成された対策データと、に基づいて、前記サーマルヘッドを駆動するヘッド駆動部と、を備え、
前記印刷制御装置は、
前記印刷データに含まれる、連続して印刷される前記複数のラインのそれぞれに対応する複数の印刷ラインデータのうちの、少なくとも二つの前記印刷ラインデータを比較することによりスティッキングが発生する可能性がある第ｎライン（ｎは１以上の整数）と、前記第ｎラインに続けて印刷される第（ｎ＋１）ラインと、を対策対象ライン群に設定し、前記対策対象ライン群に含まれる前記ラインのそれぞれにおける前記第２の通電制御期間中において前記複数の発熱素子の少なくとも一部に電圧が印加されるように前記対策データを生成する、
ことを特徴とする印刷システム。
【請求項１３】
被印刷媒体に複数のラインのそれぞれを印刷するための１ライン周期内に前記被印刷媒体に印刷を行うための第１の通電制御期間を設定するとともに、前記１ライン周期内に前記被印刷媒体に印刷を行うことなく前記印刷装置のサーマルヘッドの前記複数の発熱素子の温度変化を調整するための第２の通電制御期間を、前記サーマルヘッドの前記複数の発熱素子への通電が行われない非通電期間を介して、前記第１の通電制御期間より時間的に後のタイミングに設定し、
前記複数のラインを印刷させるための印刷データに基づいて、前記複数のラインにおけるスティッキングが発生する可能性があると推定される第ｎラインと、前記第ｎライン（ｎは１以上の整数）に続けて印刷される第（ｎ＋１）ラインと、を対策対象ライン群に設定し、
前記対策対象ライン群に含まれる前記ラインのそれぞれにおける前記第２の通電制御期間中において前記複数の発熱素子の少なくとも一部に電圧が印加されるように制御する対策ラインデータを生成する、
ことを特徴とする印刷制御方法。
【請求項１４】
印刷装置が備えるコンピュータに、
被印刷媒体に複数のラインのそれぞれを印刷するための１ライン周期内に前記被印刷媒体に印刷を行うための第１の通電制御期間を設定するとともに、前記１ライン周期内に前記被印刷媒体に印刷を行うことなく前記印刷装置のサーマルヘッドの前記複数の発熱素子の温度変化を調整するための第２の通電制御期間を、前記サーマルヘッドの前記複数の発熱素子への通電が行われない非通電期間を介して、前記第１の通電制御期間より時間的に後のタイミングに設定させ、
前記複数のラインを印刷させるための印刷データに基づいて、前記複数のラインにおけるスティッキングが発生する可能性があると推定される第ｎライン（ｎは１以上の整数）と、前記第ｎラインに続けて印刷される第（ｎ＋１）ラインと、を対策対象ライン群に設定させ、前記対策対象ライン群に含まれる前記ラインのそれぞれにおける前記第２の通電制御期間中において、前記複数の発熱素子の少なくとも一部に電圧が印加されるように制御する対策ラインデータを生成させる、
ことを特徴とするプログラム。